(57)【特許請求の範囲】
【請求項１】
出力電圧の異なる複数の電源からなる電源装置と、カバー又はドアを含む扉の開閉によって前記複数の電源のうち出力電圧の低い電源の出力経路を開閉する第１スイッチと、前記第１スイッチの開閉によって前記複数の電源のうち出力電圧の高い電源の出力経路を開閉する第２スイッチと、前記第１スイッチの後段の出力経路と接続する制御手段とを備え、
前記制御手段は、前記扉が開かれて前記第１スイッチの後段の出力経路からの出力が前記第１スイッチの開状態を示す出力であることを検知すると前記出力電圧の高い電源に出力を停止させ、前記扉が閉じられて前記第１スイッチの後段の出力経路からの出力が前記第１スイッチの閉状態を示す出力であることを少なくとも２回連続で検知すると前記出力電圧の高い電源に出力を開始させる手段を有することを特徴とする画像形成装置。
【請求項２】
前記制御手段が、前記第１スイッチの閉状態を示す出力であることを２回連続で検知するときの検知の時間間隔は、前記第１スイッチの開閉の動作時間と、前記第１スイッチの開閉の動作時に完全に開状態又は閉状態になるまでのバウンス時間とを合計した第１合計時間と、前記第２スイッチの開閉の動作時間と、前記第２スイッチの開閉の動作時に完全に開状態又は閉状態になるまでのバウンス時間とを合計した第２合計時間とのいずれか大きい方の合計時間以上の時間間隔であることを特徴とする請求項１記載の画像形成装置。
【請求項３】
前記制御手段が、前記第１スイッチの開状態を示す出力であることを検知するときの検知の時間間隔は、前記第１スイッチの開閉の動作時間と、前記第１スイッチの開閉の動作時に完全に開状態又は閉状態になるまでのバウンス時間とを合計した第１合計時間と、前記第２スイッチの開閉の動作時間と、前記第２スイッチの開閉の動作時に完全に開状態又は閉状態になるまでのバウンス時間とを合計した第２合計時間とのいずれか大きい方の合計時間以上の時間間隔であることを特徴とする請求項１又は２記載の画像形成装置。
【請求項４】
前記制御手段が、前記第１スイッチの閉状態を示す出力であることを検知するときの検知の時間間隔は、前記第１スイッチの開閉の動作時間と、前記第１スイッチの開閉の動作時に完全に開状態又は閉状態になるまでのバウンス時間とを合計した第１合計時間と、前記第２スイッチの開閉の動作時間と、前記第２スイッチの開閉の動作時に完全に開状態又は閉状態になるまでのバウンス時間とを合計した第２合計時間とのいずれか大きい方の合計時間以上の時間間隔であることを特徴とする請求項１乃至３のいずれか一項に記載の画像形成装置。
【発明の詳細な説明】
【技術分野】
【０００１】
この発明は、複写機、ファクシミリ装置、プリンタを含む画像形成装置に関する。
【背景技術】
【０００２】
従来、装置本体内部に、感光体ドラム、その感光体ドラムに潜像を形成する半導体レーザ、記録紙を給紙カセットから感光体ドラム，転写紙排紙部等へ搬送するための多数の搬送ローラを主として構成された転写紙搬送系、上記感光体ドラム及び搬送ローラを回転させるための駆動源を有し、それら各部が装置使用者に接触することがないように、常態において、閉状態とされる開閉自在な扉を備えた画像形成装置において、扉の開閉に伴う不慮の電源ダウンを含む種々の不具合を防止し得るように、扉が開かれたことを検知したときには直流電源の出力をＯＦＦにし、閉じられた状態を検知したときは直流電源の出力を一定時間待機後にＯＮにし、あるいは閉状態を検知してから直流電源の電圧を段階的に上げていく画像形成装置（例えば、特許文献１参照）があった。
【特許文献１】特開２００１−２７２８８５号公報
【発明の開示】
【発明が解決しようとする課題】
【０００３】
しかしながら、上述した従来の画像形成装置では、扉が閉状態であることを検知して一定時間待機、あるいは段階的に直流電源の出力を上げているため、電源の出力が立ち上がるまでに時間がかかるという問題があった。また、制御部とは別個所で、扉の開閉検知センサを必要としており、部品コストがアップするという問題があった。
この発明は上記の点に鑑みてなされたものであり、装置本体の扉の開閉に伴う不慮の電源ダウンによる不具合を防止すると共に、扉が閉じられたことを検知した後により短時間で電源の出力を立ち上げて装置の使用を可能とすることを目的とする。
【課題を解決するための手段】
【０００４】
この発明は上記の目的を達成するため、出力電圧の異なる複数の電源からなる電源装置と、カバー又はドアを含む扉の開閉によって上記複数の電源のうち出力電圧の低い電源の出力経路を開閉する第１スイッチと、上記第１スイッチの開閉によって上記複数の電源のうち出力電圧の高い電源の出力経路を開閉する第２スイッチと、上記第１スイッチの後段の出力経路と接続する制御手段を備え、上記制御手段は、上記扉が開かれて上記第１スイッチの後段の出力経路からの出力が上記第１スイッチの開状態を示す出力であることを検知すると上記出力電圧の高い電源に出力を停止させ、上記扉が閉じられて上記第１スイッチの後段の出力経路からの出力が上記第１スイッチの閉状態を示す出力であることを少なくとも２回連続で検知すると上記出力電圧の高い電源に出力を開始させる手段を有する画像形成装置を提供する。
【０００５】
また、上記のような画像形成装置において、上記制御手段が、上記第１スイッチの閉状態を示す出力であることを２回連続で検知するときの検知の時間間隔は、上記第１スイッチの開閉の動作時間と、上記第１スイッチの開閉の動作時に完全に開状態又は閉状態になるまでのバウンス時間とを合計した第１合計時間と、上記第２スイッチの開閉の動作時間と、上記第２スイッチの開閉の動作時に完全に開状態又は閉状態になるまでのバウンス時間とを合計した第２合計時間とのいずれか大きい方の合計時間以上の時間間隔であるようにするとよい。
さらに、上記のような画像形成装置において、上記制御手段が、上記第１スイッチの開状態を示す出力であることを検知するときの検知の時間間隔は、上記第１スイッチの開閉の動作時間と、上記第１スイッチの開閉の動作時に完全に開状態又は閉状態になるまでのバウンス時間とを合計した第１合計時間と、上記第２スイッチの開閉の動作時間と、上記第２スイッチの開閉の動作時に完全に開状態又は閉状態になるまでのバウンス時間とを合計した第２合計時間とのいずれか大きい方の合計時間以上の時間間隔であるようにするとよい。
さらにまた、上記のような画像形成装置において、上記制御手段が、上記第１スイッチの閉状態を示す出力であることを検知するときの検知の時間間隔は、上記第１スイッチの開閉の動作時間と、上記第１スイッチの開閉の動作時に完全に開状態又は閉状態になるまでのバウンス時間とを合計した第１合計時間と、上記第２スイッチの開閉の動作時間と、上記第２スイッチの開閉の動作時に完全に開状態又は閉状態になるまでのバウンス時間とを合計した第２合計時間とのいずれか大きい方の合計時間以上の時間間隔であるようにするとよい。
【発明の効果】
【０００６】
この発明による画像形成装置は、装置本体の扉の開閉に伴う不慮の電源ダウンによる不具合を防止すると共に、扉が閉じられたことを検知した後により短時間で電源の出力を立ち上げて装置の使用を可能とすることができる。
【発明を実施するための最良の形態】
【０００７】
以下、この発明を実施するための最良の形態を図面に基づいて具体的に説明する。
〔実施例〕
図２は、この発明の実施例の画像形成装置の外観の一例を示す図である。
この画像形成装置は、例えばデジタルカラー複写機であり、大量の用紙を収容して供給する大容量給紙部を備えた複写動作を行う本体部１０と、複写された用紙に対してソート、穴あけ、綴じ込みを含む各処理を施すフィニッシャ（「ＦＩＮ」と略称する）９とを備えている。
本体部１０は、その上部に開閉自在に設けられる自動原稿供給装置（「ＡＤＦ」と略称する）２を有しており、ＡＤＦ２にセットされた原稿は、ＡＤＦ２によってスキャナ部によるスキャン位置を通過するようにコンタクトガラス１上を搬送される。また、本体部１０の上部に設けられたコンタクトガラス１上に原稿を載置することで原稿を読み取ることができる。
【０００８】
本体部１０の上部にはユーザに対して種々の情報を表示する表示パネル、ユーザが種々の指示を入力するためのボタンを含むインタフェースが配置される操作部３が設けられている。ユーザは、操作部３を用いて、例えば、モノクロ、カラー単色、カラー２色、フルカラー（４色）を含む複写モードの切り替えを指定することができる。
本体部１０の上部には、この画像形成装置の主電源をオン・オフするための主電源スイッチ７が設けられており、ユーザは主電源スイッチ７をオンにすることで画像形成装置を起動することができ、また主電源スイッチ７をオフにすることで画像形成装置への商用電源からの電力供給をオフしてその動作を停止させることができる。
また、本体部１０の上部には電源サブキー４が設けられており、電源サブキー４を操作することで画像形成装置を省エネルギーモードに移行させることができ、省エネルギーモードにある場合に電源サブキー４を操作することで通常のモードに戻すことができる。
【０００９】
本体部１０の前面側には、前ドア（前カバー）５やトナーカバー８を含む扉が開閉自在に設けられており、メンテナンスや部品交換を行う場合には前ドア５やトナーカバー８を開放状態にすることができるようになっている。
前ドア５は左扉（左ドア）と右扉（右ドア）の２つのカバーからなり、その左ドアと右ドアのそれぞれの閉開に連動してオン・オフするスイッチを、同図では図示を省略するが、左ドアと右ドアの内側にそれぞれ１個ずつ備えている。
また、本体部１０には給紙トレイ６が設けられており、画像形成装置では給紙トレイ６に収容されている用紙やＯＨＰシートを含む記録媒体に対して画像形成が行われる。
【００１０】
図１は、図２に示した画像形成装置の制御部を含むこの発明に係る主要部の構成を示すブロック図である。
電源装置２０は、制御装置５０の制御部５１とリレー部４０とへ５Ｖ電圧の電流を供給する５ＶＤＣ電源回路２１と、リレー部４０を介して負荷部５２へ２４Ｖ電圧の電流を供給する２４ＶＤＣ電源回路２２の複数の直流（ＤＣ）電源からなる。
このように、制御部５１とリレー部４０への給電と負荷部５２への給電とはそれぞれ異なるＤＣ電源回路によって行っている。
【００１１】
５ＶＤＣ電源回路２１から制御部５１とリレー部４０への電圧供給ライン上には、左ドアスイッチ３０と右ドアスイッチ３１の２つを直列に設けている。この左ドアスイッチ３０と右ドアスイッチ３１は、前ドア５の左ドアと右ドアの閉開に連動してオン・オフするスイッチである。すなわち、上記カバー又はドアを含む扉の閉開に連動してオン又はオフの状態に切り換わる第１スイッチに相当する。
リレー部４０はインターロックリレーであり、５ＶＤＣ電源回路２１からの通電の有無によって第１リレー接点部４４と第２リレー接点部４５を閉開する第１コイル４２と第２コイル４３を含むコイル部４１を備えているリレースイッチである。すなわち、上記第１スイッチの切り換えに連動して電源から負荷部への給電の開始と停止を切り換える第２スイッチに相当する。
【００１２】
この実施例では、インターロック系統の負荷部５２への給電が大容量であるから、インターロック用途として、１接点入りのリレーを２個設けている場合を示している。
制御装置５０は、ＣＰＵ、ＲＯＭ及びＲＡＭからなるマイクロコンピュータ（ＭＰＵでもよい）によって実現される制御部５１と負荷部５２を有している。
制御部５１は、５ＶＤＣ電源回路２１からの電圧供給ラインが５Ｖ電圧検知用の入力端子（「スイッチ開閉検知端子」ともいう）５３に接続されている。すなわち、上記第１スイッチの状態に基づいて上記扉の開状態と閉状態を検知する検知手段に相当する。
また、制御部５１は、割込タイマ機能を備え、タイマ割込処理と電源装置２０の２４ＶＤＣ電源回路２２への２４Ｖ電圧生成指令信号の出力を行う。
【００１３】
すなわち、制御部５１は、上記検知手段によって開状態を検知したときに上記扉が開状態であると判断し、上記閉状態を２回以上連続して検知したときに上記扉が閉状態であると判断し、その判断結果に基づいて上記電源に対する給電の開始と停止を制御する制御手段の機能を果たし、上記閉状態を２回以上連続して検知する時間間隔として、上記第１スイッチの切り換え動作時間と切り換え動作時に完全にオン又はオフの状態になっていないときのバウンス時間とを合計した第１合計時間と、上記第２スイッチの切り換え動作時間と切り換え動作時に完全に給電開始又は給電停止の状態になっていないときのバウンス時間とを合計した第２合計時間とのいずれか大きい方の合計時間以上の時間間隔に設定されている。
上記バウンス時間とは、スイッチ（リレースイッチも含む）の動作時及び復帰時に接点相互の衝突によって接点が間欠開閉して接点が完全に閉じていない（または完全に開いていない）不安定な状態の時間である。
【００１４】
また、上記扉が開状態であると判断したときに上記電源に対して上記負荷部への給電を停止させ、上記扉が閉状態であると判断したときに上記電源に対して上記負荷部への給電を開始させる制御も行う。
さらに、上記扉が開状態のとき、上記第１合計時間と上記第２合計時間とのいずれか大きい方の合計時間以上の時間間隔で、上記検知手段による開状態と閉状態の検知結果を監視する制御も行う。
また、上記扉が閉状態のとき、上記第１合計時間と上記第２合計時間とのいずれか小さい方の合計時間以下の時間間隔で、上記検知手段による開状態と閉状態の検知結果を監視する制御も行う。
【００１５】
負荷部５２は、２４ＶＤＣ電源回路２２からの給電によって駆動し、記録紙を給紙カセットから半導体レーザによるレーザ光の照射によって潜像が形成される感光体ドラム，転写紙排紙部等へ搬送するための多数の搬送ローラを主として構成された転写紙搬送系、上記感光体ドラム及び搬送ローラを回転させるための駆動源であるモータを含む。
【００１６】
まず、このインターロックリレーを用いたインターロックシステムの基本的な動作について説明する。
前ドア５の左ドアと右ドアの両方が閉じている状態では、左ドアスイッチ３０と右ドアスイッチ３１がいずれも閉じて５ＶＤＣ電源回路２１から制御部５１とリレー部４０へ５Ｖ電圧を供給し、前ドア５の左ドア又は右ドアが開いた状態では少なくとも左ドアスイッチ３０と右ドアスイッチ３１の一方が開いて５ＶＤＣ電源回路２１から制御部５１とリレー部４０への５Ｖ電圧の供給を遮断する。
５ＶＤＣ電源回路２１から５Ｖ電圧がリレー部４０の第１コイル４２と第２コイル４３にそれぞれ供給されていると、第１コイル４２と第２コイル４３はそれぞれ第１リレー接点部４４と第２リレー接点部４５とをオンにして閉じ、２４ＶＤＣ電源回路２２から負荷部５２の各負荷への２４Ｖ電圧の供給を行う。
【００１７】
また、５ＶＤＣ電源回路２１からの５Ｖ電圧がコイル部４１へ通電されなくなると、第１コイル４２と第２コイル４３はそれぞれ第１リレー接点部４４と第２リレー接点部４５とをオフにして開き、２４ＶＤＣ電源回路２２から負荷部５２の各負荷への２４Ｖ電圧の供給を遮断する。
これで、前ドア５の左ドアと右ドアがいずれも閉じられた状態では負荷部５２への給電がされ、左ドア又は右ドアが開かれた状態では負荷部５２への給電が遮断されるので、モータ、高温・高圧部を含む負荷部５２に駆動電源が印加されなくなり、使用者が負荷部５２に直接接触可能な状態での使用者の安全を確保できる。
【００１８】
次に、左ドアスイッチ３０と右ドアスイッチ３１とリレー部４０の動作時間と、リレー部４０のバウンス時間について説明する。
左ドアスイッチ３０と右ドアスイッチ３１の動作時間は、一般的に０ｍｓであり、そのバウンス時間は一般に数ｍｓであり、その最長時間は、例えば１０ｍｓである。そこで、左ドアスイッチ３０と右ドアスイッチ３１の動作時間とバウンス時間の合計時間（「第１合計時間」に相当する）を１０ｍｓとする。
【００１９】
また、リレー部４０のコイル部４１に通電されてから、実際に第１リレー接点部４４と第２リレー接点部４５が閉じるまでの動作時間の最長時間は、例えば２０ｍｓであり、実際に第１リレー接点部４４と第２リレー接点部４５が閉じられてから第１リレー接点部４４又は第２リレー接点部４５がバウンスし、第１リレー接点部４４と第２リレー接点部４５が安定して閉じられるまでのバウンス時間の最長時間は、例えば１０ｍｓである。
そこで、リレー部４０の動作時間とバウンス時間の合計時間（「第２合計時間」に相当する）は３０ｍｓとする。
上述の動作時間とバウンス時間は、画像形成装置で実際に使用するスイッチ、リレーの特性によって変動するので、その都度測定した値を用いると良い。
【００２０】
次に、制御部５１で、前ドア５が閉状態のときに、左ドアスイッチ３０と右ドアスイッチ３１のオン状態とオフ状態の検知結果を監視する時間間隔として、上記左ドアスイッチ３０と右ドアスイッチ３１の動作時間とバウンス時間の合計時間（「第１合計時間」に相当する）１０ｍｓと、リレー部４０の動作時間とバウンス時間の合計時間（「第２合計時間」に相当する）３０ｍｓのうちの小さい方の合計時間１０ｍｓ以下の時間間隔、例えば１０ｍｓにする。
また、前ドア５が開状態のときに、左ドアスイッチ３０と右ドアスイッチ３１のオン状態とオフ状態の検知結果を監視する時間間隔として、上記左ドアスイッチ３０と右ドアスイッチ３１の動作時間とバウンス時間の合計時間（「第１合計時間」に相当する）１０ｍｓと、リレー部４０の動作時間とバウンス時間の合計時間（「第２合計時間」に相当する）３０ｍｓのうちの大きい方の合計時間３０ｍｓ以上の時間間隔、例えば５０ｍｓにする。
【００２１】
次に、図１に示す電源装置２０の給電制御処理について説明する。
図３は、図１に示す電源装置２０の給電制御処理の説明に供する波形図である。
画像形成装置の電源投入後、同図の（ｃ）に示すように、制御部５１は割込タイマの時間間隔を１０ｍｓに設定してカウント開始し、５Ｖ電圧検知用の入力端子５３への通電の有無を監視する。
【００２２】
まず、前ドア５の左ドアと右ドアがいずれも閉じられた状態では、同図の（ａ）に示すように、左ドアスイッチと右ドアスイッチが閉路していてオン（ＯＮ）状態であるから、同図の（ｂ）に示すように、制御部５１は、５Ｖ電圧検知用の入力端子５３への５Ｖ電圧がハイ（Ｈｉｇｈ）であることから５Ｖ電圧の通電がされていることを検知して、同図の（ｄ）に示すように、左右ドアの開閉判定結果を閉状態であると判定し、同図の（ｅ）に示すように、２４ＶＤＣ電源回路２２へ２４Ｖ電圧生成指令信号として出力オン（ＯＮ）指令を送り、その結果、同図の（ｆ）に示すように、２４ＶＤＣ電源回路２２は、負荷部５２への２４Ｖ電圧を出力する。
【００２３】
次に、前ドア５の左ドア又は右ドアが開かれた状態になると、同図の（ａ）に示すように、左ドアスイッチと右ドアスイッチが開路していてオフ（ＯＦＦ）状態になるから、同図の（ｂ）に示すように、５Ｖ電圧検知用の入力端子５３への５Ｖ電圧がロー（Ｌｏｗ）になり、同図の（ｃ）に示すように、制御部５１は、割込タイマのカウントによってタイマ割込処理の時間になって５Ｖ電圧検知用の入力端子５３への５Ｖ電圧がロー状態であることを検知すると、割込タイマの時間間隔を５０ｍｓに変更すると共に、同図の（ｄ）に示すように、左右ドアの開閉判定結果を開状態であると判定し、同図の（ｅ）に示すように、２４ＶＤＣ電源回路２２へ２４Ｖ電圧生成指令信号として出力オフ（ＯＦＦ）指令を送り、その結果、同図の（ｆ）に示すように、２４ＶＤＣ電源回路２２は、負荷部５２への２４Ｖ電圧の出力を停止する。
【００２４】
次に、制御部５１は、２４ＶＤＣ電源回路２２への出力オフ指令の送信中は、割込タイマのカウントによって５０ｍｓ毎にタイマ割込処理を実行し、５Ｖ電圧検知用の入力端子５３のハイとローの状態を監視する。
同図の（ａ）に示すように、左ドアスイッチと右ドアスイッチが再び閉路していてオフ状態になり、同図の（ｂ）に示すように、５Ｖ電圧検知用の入力端子５３が再びハイ状態になり、同図の（ｃ）に示すように、制御部５１は、２４ＶＤＣ電源回路２２への出力停止指示後、１回目と２回目の５０ｍｓ毎のタイマ割込処理で共に５Ｖ電圧検知用の入力端子５３がハイ状態であることを検知すると、割込タイマの時間間隔を再び１０ｍｓに変更すると共に、同図の（ｄ）に示すように、左右ドアの開閉判定結果を閉状態であると判定し、同図の（ｅ）に示すように、２４ＶＤＣ電源回路２２へ２４Ｖ電圧生成指令信号として出力オン（ＯＮ）指令を送り、その結果、同図の（ｆ）に示すように、２４ＶＤＣ電源回路２２は、再び負荷部５２への２４Ｖ電圧の出力を開始する。
【００２５】
図４は、画像形成装置の主電源スイッチ（主電源ＳＷ）がオンにされたときの処理を示すフローチャート図である。
画像形成装置の主電源スイッチがオンにされると、電源装置の５ＶＤＣ電源回路と２４ＶＤＣ電源回路を起動し、制御装置の制御部を起動し、割込タイマを稼働させ、タイマ割込処理へ移行する。
【００２６】
図５は、図１に示す制御部のタイマ割込処理を示すフローチャート図である。
この処理は、制御部５１が、ステップ（図中「Ｓ」で示す）１で５Ｖ電圧検知用の入力端子の信号がハイ状態か否かを判断し、ハイ状態なら、ステップ２で５Ｖ電圧検知フラグが「１」（５Ｖ電圧検知用の入力端子がハイ状態であることを検知して左ドアスイッチ又は右ドアスイッチが閉じていることを検知したときに制御部のレジスタに設定されるフラグ）であるか否かを判断し、５Ｖ電圧検知フラグが「１」のとき、ステップ３で前ドア状態情報を「閉」（前ドアが閉状態であると判断したときに制御部のメモリに保存される情報）に変更し、２４Ｖ電圧生成指令信号として出力オン指令を出力して２４ＶＤＣ電源回路の出力をオンにし、割込タイマのタイマ割込みの時間（割込タイマの時間間隔）を１０ｍｓに設定して最初の処理に戻る。
【００２７】
ステップ１の判断で５Ｖ電圧検知用の入力端子の信号がハイ状態でなく、ロー状態であると判断すると、ステップ４で前ドア状態情報を「開」（前ドアが開状態であると判断したときに制御部のメモリに保存される情報）に変更し、２４Ｖ電圧生成指令信号として出力オフ指令を出力して２４ＶＤＣ電源回路の出力をオフにし（停止させ）、割込タイマのタイマ割込みの時間（割込タイマの時間間隔）を５０ｍｓに設定し、５Ｖ電圧検知フラグを「０」に設定して最初の処理に戻る。
ステップ２の判断で５Ｖ電圧検知フラグが「１」ではないとき、ステップ５で５Ｖ電圧検知フラグを「１」に設定し、最初の処理に戻る。
【００２８】
さらに、上述の処理について説明する。
前ドア５の左ドア又は右ドアのどちらかが開くと同時に、制御部５１の５Ｖ電圧検知用の入力端子５３に５Ｖ電圧が通電されなくなり、それを１０ｍｓのタイマ割り込みによって検知し、５Ｖ電圧の通電を検知しなくなった時点で、正確にはハイ信号を検知しなくなった時点で、制御部５１は前ドア５が「開」状態になったと判定する。
それを受けて、制御部５１は「２４Ｖの電圧生成指令信号」を出力オフ指令にし、２４ＶＤＣ電源回路２２は制御部５１からの出力オフ指令に基づいて２４Ｖ電圧の生成と出力を停止するので、負荷部５２への２４Ｖ電圧の供給は遮断される。
【００２９】
また、前ドア５が「開」状態になってから、５Ｖ電圧を検知する割込タイマの時間間隔を１０ｍｓから５０ｍｓに変更する。したがって、制御部５１は５０ｍｓ毎に５Ｖ検知用の入力端子５３の状態を監視する。
これにより、ソフト処理の負荷がより短い時間間隔で検知していたものから、長い時間間隔で検知するようになるので、ソフト処理の負荷が減少する。
【００３０】
次に、開けられた前ドア５が閉じられる（クローズ）と、リレー部４０のコイル部４１に再び通電される。それによりリレー部４０の第１リレー接点部４４と第２リレー接点部４５が閉じられる。
それと同時に、５Ｖ電圧検知用の入力端子５３に５Ｖ電圧が通電されるので、制御部５１は１回目の５０ｍｓのタイマ割込み処理で５Ｖ電圧検知用の入力端子５３の状態がハイ状態であることを検知し、連続して２回目の５０ｍｓのタイマ割込み処理でも５Ｖ電圧検知用の入力端子５３の状態がハイ状態であることを検出すると、前ドアが「閉」になったと判定する。
【００３１】
ここで、なぜ、２回連続してハイ状態を検知してから、前ドア５が「閉」と判定しているのかというと、まれにノイズなどによって５Ｖ電圧検知用の入力端子５３がハイ状態になり、たまたま５０ｍｓ毎の検出処理でハイ状態を誤検出することがあるため、ノイズなどの誤検出防止のために２回連続して５Ｖ電圧検知用の入力端子５３がハイ状態になったときに２４ＶＤＣ電源回路２２の出力を再開させるためである。
制御部５１は、前ドア５が「閉」と判定すると、２４ＶＤＣ電源回路２２への２４Ｖ電圧生成指令信号を出力オン指令にし、それにより、２４ＶＤＣ電源回路２２の２４Ｖ電圧の出力が再び立ち上がる。
なお、より安全・確実を期して、５Ｖ電圧検知用の入力端子５３のハイ状態が３回以上連続して検出したときに２４ＶＤＣ電源回路２２の出力を再開させるようにしてもよい。
【００３２】
上述の処理において、前ドア５が閉とする判定時間（５Ｖ電圧検知用の入力端子５３が連続してハイ状態であることを検知するまでの時間）を、インターロック用リレーの動作時間とバウンス時間以上に設定していることにより、前ドア５が閉と判定した時点では、リレー部４０の第１リレー接点部４４と第２リレー接点部４５が確実に閉じられた後であり、その後、２４Ｖ電圧生成指令信号を出力オン指令にし、２４ＶＤＣ電源回路２２からの２４Ｖ電圧の生成を再開させると、第１リレー接点部４４と第２リレー接点部４５で見ると、図３の（ｆ）に示したように、２４Ｖ電圧は０Ｖから２４Ｖへゆっくり立ち上がる。これは、第１リレー接点部４４と第２リレー接点部４５が閉じられた瞬間、２４Ｖ電圧は生成されていないため、２４ＶＤＣ電源回路２２側から負荷部５２側へ大きな突入が流れないためである。
【００３３】
したがって、負荷部５２側のコンデンサにも０Ｖから少しずつ電荷が給電されるため、大きな突入電流が流れることはない。このようにして、リレー部４０と負荷部５２へ突入電流が流れないので、リレー接点の磨耗、ＤＣ電源回路の過電流検知回路の誤動作、ＣＰＵの誤動作を含む突入電流に起因する様々な不具合を未然に防止することができる。
また、前ドア５が閉になってから一定時間待機してから２４Ｖ電源回路の出力をオンしたり、段階的に出力電圧を上げるような制御とは異なって時間ロスがない。
【００３４】
さらに、前ドア５が閉になってから、ただちに２４ＶＤＣ電源回路２４に出力オン指令を出力しているので、２４Ｖ電圧を所定の電位に素早く立ち上げることができ、画像形成装置のユーザを待たせる時間が減るという効果がある。
また、ＤＣ電源回路は５Ｖと２４Ｖの２つのＤＣ電源回路を有しているので、画像形成装置が省エネモードに移行すると、モータやソレノイドを含む可動部への２４Ｖ電圧の供給は不要になるので、制御部５１は２４Ｖ電圧生成指令信号をオフにしてもよい。それにより、２４ＶＤＣ電源回路２２が動作しなくなり、電源装置２０内で常時電力を消費しているロスの削減が図れて省エネルギーができる。
【００３５】
次に、上述の実施例では、１接点入りのリレーを２個使った場合を説明したが、図６に示すように、１つのコイルで２つの接点の開閉を制御する２接点入りのリレー部４０′を使用しても上述と同様にして実施することができる。
この場合、コイル部４７のコイル４６が通電時には第１リレー接点部４４と第２リレー接点部４５の開閉を制御し、その他の処理は上述と同様である。
また、インターロック系統のＤＣ電源回路を複数有する画像形成装置にも上述と同様にして実施することができる。
【００３６】
例えば、図７に示すように、電源装置２０′は、負荷部５２へ１２Ｖ電圧の給電を行う１２ＶＤＣ電源回路２３と２４Ｖ電圧の給電を行う２４ＶＤＣ電源回路２４とを有し、１２ＶＤＣ電源回路２３から出力される１２Ｖ電圧はリレー部４０の第１リレー接点部４４の開閉によって供給と停止が制御され、２４ＶＤＣ電源回路２４から出力される２４Ｖ電圧はリレー部４０の第２リレー接点部４５の開閉によって供給と停止が制御され、制御部５１′が、上述と同様のタイマ割込処理によって、１２ＶＤＣ電源回路２３と２４ＶＤＣ電源回路２４にそれぞれ１２Ｖ／２４Ｖ電圧生成指令信号として出力オン指令を出力して１２ＶＤＣ電源回路２３と２４ＶＤＣ電源回路２４の電圧出力を行わせ、出力オフ指令を出力して１２ＶＤＣ電源回路２３と２４ＶＤＣ電源回路２４の電圧出力を停止させ、その他の処理は上述と同様である。
【００３７】
このようにして、インターロック回路にリレーを用いた方式によって、リレー接点の動作時間を考慮した、リレー接点が閉じられるときの突入電流発生の防止が実現でき、突入電流に起因するリレー接点の溶着、ＤＣ電源回路の誤動作、ＣＰＵ誤動作を解消することができる。
また、画像形成装置のドアの開閉に連動して、ＤＣ電源回路の電圧生成動作をオフしているので、ドアが開いて負荷部側へ電源供給が不要となった状態における電圧生成動作を行うことによって電力消費のロスを削減し、省エネルギーを図ることができる。
さらに、ＤＣ電源回路の電圧生成指令信号は、制御部が判定して指令を出しているので、画像形成装置が省エネルギーモードに移行したときに電圧生成指令信号をオフできるので、ドアが開いたときと同様に省エネルギーを図ることができる。
また、突入電流が発生しないシーケンス制御を実施しているので、リレー接点の溶着によるリレー寿命が短くなるということがなく、リレーの長寿命化を図ることができる。
【００３８】
この画像形成装置は、制御部での扉閉を検知後、一定時間待機するや、負荷部への電力出力をモニタしながら段階的に電圧を上げていくという方法ではなく、ただちに電源の出力をオンにしているので、装置の扉が閉じられた後、より短時間で電源の出力を立ち上げることができ、そのための部品コストを安くすることができる。また、簡単な方法で、ソフト負荷の削減ができる。
さらに、開閉検知センサではなく、汎用の制御部によって装置の扉の「開閉」を判定しており、扉開閉検知センサを不要としたので、別部品を必要とせず、部品コストのアップを回避することができる。
【００３９】
なお、上述の実施例では、前ドア５の左ドアと右ドアが閉じたときに連動して左ドアスイッチ３０と右ドアスイッチ３１はオンになり、開いたときにはオフになる場合について説明したが、両ドアが閉じたときに各スイッチがオフになり、開いたときにはオンになるようにし、リレー部をそれに連動して切り換えるように構成するようにしてもよい。
また、リレー部のコイル部の駆動電圧を５Ｖの場合を示したが、２４Ｖやその他の電圧値にしてもよい。
さらに、左右のドア毎に１個ずつスイッチを設け、それらを２個直列に繋げた場合を示したが、ドアが１つのタイプの画像形成装置であればドア開閉検知手段のスイッチは１個で充分であるし、安全性向上のためにドア１つに対して２個のスイッチを直列に設けるようにしても良い。
さらにまた、上述の実施例では、前ドアについての場合を説明したが、トナーカバーを含むその他の扉についても同じように実施することができる。
【産業上の利用可能性】
【００４０】
この発明による画像形成装置は、ファクシミリ装置、プリンタを含むそのほかの画像形成装置全般においても適用することができる。
【図面の簡単な説明】
【００４１】
【図１】図２に示す画像形成装置の制御部を含むこの発明に係る主要部の構成を示すブロック図である。
【図２】この発明の実施例の画像形成装置の外観の一例を示す図である。
【図３】図１に示す電源装置２０の給電制御処理の説明に供する波形図である。
【図４】図２に示す画像形成装置の主電源スイッチ（主電源ＳＷ）がオンにされたときの処理を示すフローチャート図である。
【００４２】
【図５】図１に示す制御部のタイマ割込処理を示すフローチャート図である。
【図６】図２に示す画像形成装置の制御部を含むこの発明に係る主要部の他の構成例を示すブロック図である。
【図７】図２に示す画像形成装置の制御部を含むこの発明に係る主要部のさらに他の構成例を示すブロック図である。
【符号の説明】
【００４３】
１：コンタクトガラス    ２：ＡＤＦ    ３：操作部    ４：電源サブキー    ５：前カバー    ６：給紙トレイ    ７：主電源スイッチ    ８：トナーカバー    ９：フィニッシャ    １０：本体部    ２０，２０′：電源装置    ２１：５ＶＤＣ電源回路    ２２，２４：２４ＶＤＣ電源回路    ２３：１２ＶＤＣ電源回路    ３０：左ドアスイッチ    ３１：右ドアスイッチ    ４０，４０′：リレー部    ４１，４７：コイル部    ４２：第１コイル    ４３：第２コイル    ４４：第１リレー接点部    ４５：第２リレー接点部    ４６：コイル    ５０：制御装置    ５１，５１′：制御部    ５２：負荷部    ５３：５Ｖ電圧検知用の入力端子
【図１】
0004801980.tif 000002
【図２】
0004801980.tif 000003
【図３】
0004801980.tif 000004
【図４】
0004801980.tif 000005
【図５】
0004801980.tif 000006
【図６】
0004801980.tif 000007
【図７】
0004801980.tif 000008